(57)【特許請求の範囲】
【請求項１】
撮像素子から供給された撮像信号をデジタル化した撮像データであって、複数の異なるアスペクト比からなる複数の記録領域を包含する撮像データを保持する保持手段と、
前記保持手段によって保持された撮像データに所定の処理を施すことにより、前記複数のアスペクト比からなる複数の記録領域のそれぞれに対応する複数のアスペクト比からなる複数の非可逆圧縮形式の画像データを生成する生成手段と、
撮影時のアスペクト比として前記複数のアスペクト比からいずれかを選択する選択手段と、
前記保持手段によって保持された撮像データをＲＡＷ画像データとして記録媒体に記録するとともに、前記生成手段によって生成された複数のアスペクト比からなる複数の非可逆圧縮形式の画像データを前記選択手段によって選択された撮影時のアスペクト比と関連付けて前記記録媒体に記録する記録手段と
を有し、
前記複数のアスペクト比からなる複数の記録領域は、互いに包含されない領域を持つことを特徴とする撮像装置。
【請求項２】
外部表示装置を接続する接続手段と、
前記接続手段によって接続された外部表示装置の表示アスペクト比を検出する検出手段と、
前記検出手段によって検出された表示アスペクト比に応じたアスペクト比からなる非可逆圧縮形式の画像データを前記記録媒体から読み出して前記外部表示装置に表示する外部表示制御手段と
をさらに有することを特徴とする請求項１に記載の撮像装置。
【請求項３】
外部印刷装置を接続する接続手段と、
前記接続手段によって接続された外部印刷装置の用紙アスペクト比を検出する検出手段と、
前記検出手段によって検出された用紙アスペクト比に応じたアスペクト比からなる非可逆圧縮形式の画像データを前記記録媒体から読み出して印刷するように前記外部印刷装置を制御する外部印刷制御手段と
をさらに有することを特徴とする請求項１に記載の撮像装置。
【請求項４】
前記生成手段は、前記複数のアスペクト比からなる複数の非可逆圧縮形式の画像データを生成する際には、まず前記選択された撮影時のアスペクト比と同じアスペクト比からなる非可逆圧縮形式の画像データを生成し、次に前記選択された撮影時のアスペクト比と異なるアスペクト比からなる非可逆圧縮形式の画像データを生成し、この異なるアスペクト比からなる非可逆圧縮形式の画像データを生成しているときに、新たな撮影が指示された場合には、当該非可逆圧縮形式の画像データの生成を中断して撮影動作を優先させることを特徴とする請求項１〜３のいずれか１項に記載の撮像装置。
【請求項５】
前記生成手段は、前記複数のアスペクト比からなる複数の記録領域の間で略共通する領域内の撮像データについては前記所定の処理を１回だけ施すことを特徴とする請求項１〜３のいずれか１項に記載の撮像装置。
【請求項６】
前記外部表示装置に非可逆圧縮形式の画像データが表示されているときに、当該表示されている非可逆圧縮形式の画像データのアスペクト比と異なるアスペクト比が前記選択手段によって選択された場合には、前記外部表示制御手段は、前記選択されたアスペクト比に応じたアスペクト比からなる非可逆圧縮形式の画像データを前記記録媒体から読み出して前記外部表示装置に表示することを特徴とする請求項２に記載の撮像装置。
【請求項７】
表示対象の非可逆圧縮形式の画像データの一部領域の切り出しが指示されたときに、当該非可逆圧縮形式の画像データの記録領域と、当該非可逆圧縮形式の画像データのアスペクト比と異なるアスペクト比からなる非可逆圧縮形式の画像データの記録領域との間で共通しない領域も、前記切り出す一部領域内に指定できる指定手段をさらに有することを特徴とする請求項２に記載の撮像装置。
【請求項８】
印刷対象の非可逆圧縮形式の画像データの一部領域の切り出しが指示されたときに、当該非可逆圧縮形式の画像データの記録領域と、当該非可逆圧縮形式の画像データのアスペクト比と異なるアスペクト比からなる非可逆圧縮形式の画像データの記録領域との間で共通しない領域も、前記切り出す一部領域内に指定できる指定手段をさらに有することを特徴とする請求項３に記載の撮像装置。
【発明の詳細な説明】
【技術分野】
【０００１】
本発明は、デジタルスチルカメラやデジタルビデオカメラなどの撮像装置に関し、特に、撮影時のアスペクト比を複数のアスペクト比から選択されたいずれかに切り替え可能な撮像装置に関するに関する。
【背景技術】
【０００２】
デジタルスチルカメラ（以下、「デジタルカメラ」と略して言う）で被写体を撮影するときには、ＣＣＤ（charge coupled device）やＣＭＯＳ（complementary metal oxide semiconductor）等の撮像センサから入力された画像データは、設定された条件に従って現像処理（輝度調整や色調調整、シャープネス処理等）され、輝度・色差データ（ＹＵＶデータ）に変換される。さらにＹＵＶデータは、ＪＰＥＧ（joint photographic experts group）ベースライン符号化され、所定の記憶媒体（メモリカード）にファイル（ＪＰＥＧ画像ファイル）として格納される。
【０００３】
しかし、この符号化は非可逆符号化であり、何らかの情報が失われているので、ＪＰＥＧ画像ファイルをＰＣ（パーソナルコンピュータ）上で再調整しようとしても、自ずと限界があり、上級者の意図した細かい調整を行うことはできない。
【０００４】
そこで、撮像センサで得られた直後の未処理の画像データをそのまま、もしくは、可逆圧縮して記憶媒体に格納することが考えられる。このような未処理の画像データは、一般にＲＡＷ画像データと呼ばれる。このＲＡＷ画像データをＰＣ上で現像処理すれば、上級者の要望に応えられるきめ細かな現像が可能になる。
【０００５】
一方、デジタルカメラで生成される画像データのアスペクト比に関しては、以前は４：３のものが圧倒的に多かったが、近年ではＨＤＴＶ（high definition television）の普及に伴い、１６：９のアスペクト比で記録できるモードを備えた製品が発売されている。また、一部の製品には、撮像素子やＬＣＤ（liquid crystal display）までアスペクト比１６：９で設計されたものもある。
【０００６】
ＲＡＷ画像データを記録可能なデジタルカメラでは、再生時の利便性を考慮し、サムネイル画像の他、表示に適したサイズの現像済画像データ（表示用ＪＰＥＧ画像データ）を記録するようにしている。そして、このカメラが複数のアスペクト比を切り替え可能に構成されている場合には、従来は、選択されたアスペクト比の画像データのみを記録していた。その結果、選択されなかったアスペクト比の画像データは記録されないので、再生時にアスペクト比を切り替えて、選択されなかったアスペクト比の画像を表示させることはできなかった。
【０００７】
デジタルカメラで、例えばアスペクト比１６：９を選択して撮影した後に、このカメラを表示アスペクト比が４：３のテレビ受像機に接続したとする。この場合、表示アスペクト比をカメラ側で判定できたとしても、画像の再生時には、その画像の上下に黒領域等の余白部分を追加して出力する必要があった。そのため、画像処理に時間がかかるだけでなく、表示装置の表示画面を有効に利用できていなかった。一方、画像に黒領域を入れずにその画像をアスペクト比４：３に合うようにサイズ変更して再生すると、左右から押しつぶされたような歪んだ画像が表示されてしまい、表示品質の点で問題があった。
【０００８】
この問題に対処するために、アスペクト比１６：９の記録サイズが選択されたときには、サムネイル画像及び表示用縮小画像をそれぞれアスペクト比１６：９及び４：３で作成するようにした撮像装置が提案されている（例えば、特許文献１参照）。この従来の撮像装置では、表示装置が接続されると、その表示装置の表示アスペクト比に対応するアスペクト比の表示用縮小画像が選択されて表示される。
【先行技術文献】
【特許文献】
【０００９】
【特許文献１】特開２００７−２７４６６１号公報
【発明の概要】
【発明が解決しようとする課題】
【００１０】
しかし、上記従来の撮像装置では、選択されなかったアスペクト比４：３のサムネイル画像及び表示用画像はいずれも、アスペクト比１６：９の画像に対して、上下に黒の余白部分を追加した画像である。したがって、アスペクト比１６：９の画像を表示アスペクト比４：３のテレビ受像機に表示した場合には、元々のアスペクト比１６：９の画像に余白が追加されたものとなり、依然として表示画面が有効に利用できていなかった。
【００１１】
本発明は、この点に着目してなされたものであり、１回の撮影で複数のアスペクト比からなる画像を迅速に取り出すことが可能となる撮像装置を提供することを目的とする。
【課題を解決するための手段】
【００１２】
上記目的を達成するため、請求項１に記載の撮像装置は、撮像素子から供給された撮像信号をデジタル化した撮像データであって、複数の異なるアスペクト比からなる記録領域を包含する撮像データを保持する保持手段と、前記保持手段によって保持された撮像データに所定の処理を施すことにより、前記複数のアスペクト比からなる記録領域のそれぞれに対応する複数のアスペクト比からなる非可逆圧縮形式の画像データを生成する生成手段と、撮影時のアスペクト比として前記複数のアスペクト比からいずれかを選択する選択手段と、前記保持手段によって保持された撮像データをＲＡＷ画像データとして記録媒体に記録するとともに、前記生成手段によって生成された複数のアスペクト比からなる非可逆圧縮形式の画像データを前記選択手段によって選択された撮影時のアスペクト比と関連付けて前記記録媒体に記録する記録手段とを有し、前記複数のアスペクト比からなる記録領域は、互いに包含されない領域を持つことを特徴とする。
【発明の効果】
【００１３】
本発明によれば、ＲＡＷ画像データを記録するときには、１回の撮影で、撮影時のアスペクト比を含む複数のアスペクト比からなる画像データを記録するようにしたので、１回の撮影で複数のアスペクト比からなる画像を迅速に取り出すことが可能となる。
【図面の簡単な説明】
【００１４】
【図１】本発明の第１の実施の形態に係る撮像装置を適用した、静止画像の撮影が可能なデジタルカメラの概略構成を示すブロック図である。
【図２】図１のデジタルカメラにおける、イメージサークル、アスペクト比４：３選択時の記録領域及びアスペクト比１６：９選択時の記録領域を示した図である。
【図３】記録モード及びアスペクト比の異なる３種類の記録状態における各記録領域を示す図である。
【図４】図１中の画像処理部が実行する撮影時画像処理の手順を示すフローチャートである。
【図５】ＲＡＷ記録モードが選択された状態で撮影が行われときに生成されるファイル構成の一例を示す図である。
【図６】図１中のシステム制御部が実行する再生モード時制御処理の手順を示すフローチャートである。
【図７】図６中のデコード・リサイズ処理の詳細な手順を示すフローチャートである。
【図８】本発明の第２の実施の形態に係る撮像装置を適用したデジタルカメラ、特にシステム制御部が実行するＳＷに応じた処理の手順を示すフローチャートである。
【図９】本発明の第２の実施の形態に係る撮像装置を適用したデジタルカメラにおける、イメージサークル、アスペクト比４：３選択時の記録領域及びアスペクト比３：２選択時の記録領域を示した図である。
【図１０】本発明の第３の実施の形態に係る撮像装置を適用したデジタルカメラが実行する制御処理を説明するための図である。
【図１１】本発明の第４の実施の形態に係る撮像装置を適用したデジタルカメラ、特に画像処理部が実行する撮影時画像処理の手順を示すフローチャートである。
【図１２】本発明の第５の実施の形態に係る撮像装置を適用したデジタルカメラにおける、イメージサークル、アスペクト比４：３選択時の記録領域及びアスペクト比１６：９選択時の記録領域を示した図である。
【発明を実施するための形態】
【００１５】
以下、本発明の実施の形態を図面に基づいて詳細に説明する。
【００１６】
（第１の実施の形態）
図１は、本発明の第１の実施の形態に係る撮像装置を適用したデジタルカメラ１００の概略構成を示すブロック図である。
【００１７】
図１において、撮像部１０３は、撮影レンズ１０１と、絞り機能を備えるシャッタ１０２とを介して得られた光学像を電気信号（撮像信号）に変換するＣＣＤやＣＭＯＳ等の撮像素子を含んでいる。この撮像素子には、公知のベイヤー配列からなる赤（Ｒ）、緑（Ｇ）、青（Ｂ）のカラーフィルタが配置されている。
【００１８】
Ａ／Ｄ（analog-to-digital）変換器１０４は、撮像部１０３からのアナログ信号（撮像信号）をデジタル信号（撮像データ）に変換（デジタル化）する。
【００１９】
タイミング信号発生部１０５は、撮像部１０３及びＡ／Ｄ変換器１０４にクロック信号や制御信号を供給する。タイミング信号発生部１０５は、後述するメモリ制御部１０８及びシステム制御部１３０によって制御される。
【００２０】
メモリ１０６は、さまざまなデータを一時的に保存するための揮発性メモリである。メモリ１０６は、Ａ／Ｄ変換器１０４によってデジタルデータに変換されたＲＡＷ画像データを一時的に保持する他、後述する画像表示部１１２に表示するための画像データ、処理途中の画像データや演算処理結果を格納する。なお、メモリ１０６は、静止画像データ、動画像データ、及び静止画像データや動画像データが画像ファイルを構成する場合に生成されるファイルヘッダも格納する。したがって、メモリ１０６は、所定枚数の静止画像や所定時間の動画像を格納するのに十分な記憶容量を備えている。
【００２１】
画像処理部１０７は、撮像部１０３及びＡ／Ｄ変換器１０４を介して得られたＲＡＷ画像データ、又は、メモリ１０６内のＲＡＷ画像データに対し、所定の画素補間処理や色変換処理等からなる現像処理を行い、輝度・色差データ（ＹＵＶデータ）に変換する。また、拡大／縮小といったリサイズ処理もこの中に含まれる。さらに画像処理部１０７は、撮像したＲＡＷ画像データを用いて所定の演算処理を行い、その演算結果に基づいて露光制御及び測距制御を行う。これらの制御により、ＴＴＬ（スルー・ザ・レンズ）方式のＡＦ（オートフォーカス）処理、ＡＥ（自動露出）処理及びＥＦ（フラッシュ調光）処理が行われる。画像処理部１０７はさらに、撮像したＲＡＷ画像データを用いて所定の演算処理を行い、その演算結果に基づいてＴＴＬ方式のＡＷＢ（オートホワイトバランス）処理も行っている。
【００２２】
メモリ制御部１０８は、メモリ１０６とシステム制御部１３０をはじめとする各部との間のデータバス１０９を介したデータの流れを制御する。
【００２３】
圧縮／伸長部１１０は、例えば適応離散コサイン変換（ＡＤＣＴ）により画像データを圧縮／伸長する。圧縮／伸長部１１０は、撮影時には、メモリ１０６に格納された現像済画像データ、つまりＹＵＶデータを読み込んで圧縮処理を行う。なお圧縮処理は、本実施の形態ではＪＰＥＧベースライン符号化によって行うものとする。このようにして圧縮された画像データ、つまりＪＰＥＧ画像データは、メモリ１０６に一時保存されてから、システム制御部１３０によってファイル化され、メモリカードインターフェース（Ｉ／Ｆ）１４６を介してメモリカード２００に記録される。また圧縮／伸長部１１０は、再生時には、メモリカード２００に記録された圧縮画像ファイル、つまりＪＰＥＧ画像ファイルをメモリ１０６に読み出して伸長処理し、表示用ＹＵＶデータに変換した後、メモリ１０６に書き込む。
【００２４】
Ｄ／Ａ（digital-to-analog）変換器１１１は、メモリ１０６に格納されている表示用画像データ（ＹＵＶデータ）をアナログ信号に変換する。
【００２５】
画像表示部１１２は、例えばＬＣＤ等の表示パネルと表示用ドライバにより構成される。メモリ１０６に書き込まれた表示用画像データは、Ｄ／Ａ変換器１１１から画像表示部１１２に転送されて表示される。画像表示部１１２は、再生時のみならず撮影前のフレーミング用としても使用される。画像処理部１０７は、撮像部１０３及びＡ／Ｄ変換器１０４を介して連続的に入力される（動）画像データを順次処理し、メモリ１０６に格納して更新する。そして画像処理部１０７は、この（動）画像データを表示レートに応じた間隔で取り出し、連続的に画像表示部１１２に出力することによって、プレビュー用スルー画像を表示している。
【００２６】
ビデオインターフェース（Ｉ／Ｆ）１１３は、メモリ１０６に格納されている表示用画像データを外部の表示装置に出力するための変換等を行うインターフェースである。ビデオＩ／Ｆ１１３は、例えばＨＤＭＩ（high-definition multimedia interface）コントローラ及びコネクタ等によって構成されている。ビデオＩ／Ｆ１１３の出力側には、不図示のケーブルを介して、テレビ等の外部表示装置３００を接続することができる。
【００２７】
不揮発性メモリ１２１は、電気的に消去・記録可能なメモリであり、本実施の形態ではフラッシュＲＯＭが用いられている。不揮発性メモリ１２１には、システム制御部１３０の動作定数及びプログラム等が記憶される。ここでプログラムとは、後述する各種フローチャートの処理を実行するためのプログラムを意味する。
【００２８】
システム制御部１３０は、デジタルカメラ１００全体を制御する。システム制御部１３０は、不揮発性メモリ１２１に記録された上記プログラムを実行することで、後述する各制御処理を実行する。
【００２９】
システムメモリ１３１としては、本実施の形態ではＲＡＭが用いられている。システムメモリ１３１には、システム制御部１３０の動作用の定数、変数及び不揮発性メモリ１２１から読み出したプログラム等が記憶される。
【００３０】
ビデオジャック検出スイッチ１３２は、ビデオＩ／Ｆ１１３に外部表示装置３００が接続されているかどうかを監視し、接続状態が変化すると、その接続状態をシステム制御部１３０に伝達する。
【００３１】
モード切替スイッチ１３３、シャッタボタン１３４及び操作部１４０は、システム制御部１３０に各種の動作指示を入力するための操作手段である。
【００３２】
モード切替スイッチ１３３は、システム制御部１３０の動作モードを静止画記録モード又は再生モードのいずれかに切り替えるものである。
【００３３】
シャッタボタン１３４は、第１シャッタスイッチと第２シャッタスイッチによって構成されている。第１シャッタスイッチは、シャッタボタン１３４の操作途中（半押し）でオンとなり、第１シャッタスイッチ信号ＳＷ１を発生する。システム制御部１３０は、第１シャッタスイッチ信号ＳＷ１の発生に応じて、ＡＦ処理、ＡＥ処理及びＡＷＢ処理等の動作を開始する。第２シャッタスイッチは、シャッタボタン１３４の操作完了（全押し）でオンとなり、第２シャッタスイッチ信号ＳＷ２を発生する。システム制御部１３０は、第２シャッタスイッチ信号ＳＷ２の発生に応じて、撮像部１０３から入力された画像信号をメモリカード２００に画像データとして書き込むまでの一連の撮影処理を開始する。
【００３４】
操作部１４０を構成する各操作部材には、画像表示部１１２に表示される種々の機能アイコンを選択操作することなどに応じて切り替えられる場面ごとに適宜機能が割り当てられ、各種機能ボタンとして作用する。機能ボタンは、具体的には、終了ボタン、戻るボタン、画像送りボタン、ジャンプボタン、絞込みボタン及び属性変更ボタン等がある。例えば、メニューボタンが押されると各種設定が可能なメニュー画面が画像表示部１１２に表示される。利用者は、画像表示部１１２に表示されたメニュー画面と、４方向ボタンやＳＥＴボタンを用いて直感的に各種設定を行うことができる。
【００３５】
アスペクト比切替ボタン１３６は、撮影時に利用者がこのボタン１３６を押すことで、画像データを記録する際のアスペクト比を１６：９と４：３のいずれかにトグル方式で自在に切り換えて設定できるようになっている。
【００３６】
電源スイッチ１４１は、電源のオン／オフを切り替える。
【００３７】
電源制御部１４２は、電池検出回路、ＤＣ−ＤＣコンバータ、及び通電するブロックを切り替えるスイッチ回路等によって構成され、電池の装着の有無、電池の種類、電池残量の検出を行う。また電源制御部１４２は、その検出結果あるいはシステム制御部１３０からの指示に基づいてＤＣ−ＤＣコンバータを制御し、必要な電圧を必要な期間、各部へ供給する。
【００３８】
電源部１４３は、アルカリ電池やリチウム電池等の一次電池、ＮｉＣｄ電池やＮｉＭＨ電池、Ｌｉ電池等の二次電池、ＡＣアダプタ等からなる。
【００３９】
コネクタ１４４及び１４５は、電源部１４３と電源制御部１４２とを接続する。
【００４０】
メモリカードインターフェース（Ｉ／Ｆ）１４６は、カードスロットを含み、メモリカード２００とデータのやりとりを行う。
【００４１】
メモリカード２００は、記録媒体の１つで、半導体メモリ等から構成される。
【００４２】
通信インターフェース（Ｉ／Ｆ）１４７は、ＵＳＢ（universal serial bus）等の各種通信プロトコルに応じた通信制御を行うものである。通信Ｉ／Ｆ１４７は、システム制御部１３０からの指令に基づき、内部のコネクタを介して接続されたコンピュータやプリンタなどの機器と画像データのやりとりを行う。通信Ｉ／Ｆ１４７の出力側には、不図示のケーブルを介して、プリンタ４００を接続することができる。
【００４３】
（撮影時の動作）
デジタルカメラ１００は、上述のように、アスペクト比切替ボタン１３６により、アスペクト比を４：３又は１６：９のいずれかに切り換えて画像データを記録することができる。またデジタルカメラ１００は、静止画の記録モードとして、ＲＡＷ画像データをＪＰＥＧ画像データ（非可逆圧縮形式の画像データの一例）に変換してから記録する、業界標準のＪＰＥＧ記録モードに加え、ＲＡＷ画像データのまま記録する、ＲＡＷ記録モードを備えている。このＪＰＥＧ記録モードとＲＡＷ記録モードとの切り替えは、操作部１４０に割り当てられた機能ボタンを使用して行うことができる。
【００４４】
図２は、デジタルカメラ１００の撮像部１０３における、イメージサークル（破線）、アスペクト比４：３選択時の記録領域（実線；領域Ａ）及びアスペクト比１６：９選択時の記録領域（２点鎖線；領域Ｂ）を示した図である。同図には、領域Ｃとして、双方のアスペクト比の記録領域を包含する矩形領域も示されている。
【００４５】
イメージサークルとは、レンズによる像が結ばれる円形の範囲のことであり、撮影レンズ１０１及び撮像部１０３の大きさや配置で決まる。そして、各アスペクト比における各記録領域は、図２に示すように、イメージサークルを可及的に有効活用するために互いに共通しない領域を持っている。
【００４６】
図３は、記録モード及びアスペクト比の異なる３種類の記録状態における各記録領域を示す図である。同図（ａ）は、ＪＰＥＧ記録モード及びアスペクト比４：３で記録する場合の記録領域を、同図（ｂ）は、ＪＰＥＧ記録モード及びアスペクト比１６：９で記録する場合の記録領域を、同図（ｃ）は、ＲＡＷ記録モードで記録する場合の記録領域をそれぞれ示している。ＲＡＷ記録モードで記録する場合には、実際には光学的黒（オプティカルブラック；ＯＢ）領域も記録されるが、図３（ｃ）では有効画像領域のみを示している。
【００４７】
図３中に示した記録サイズからも明らかなように、水平方向に関してはアスペクト比１６：９の記録範囲がアスペクト比４：３のそれより広い反面、垂直方向に関しては逆に、アスペクト比４：３の記録範囲がアスペクト比１６：９のそれより広くなっている。
【００４８】
また、ＲＡＷ記録モードにおいては、記録時に選択されているアスペクト比に関係なく、４：３及び１６：９の双方のアスペクト比の記録領域を包含するような、より広い記録領域で記録される。つまり、ＲＡＷ記録モードにおいては、撮影前及びプレビュー中は選択されたアスペクト比に従った画角で表示されるものの、記録時には、それよりさらに広い画角で記録されるので、記録後にアスペクト比を変更して現像することが可能となっている。
【００４９】
図４は、前記画像処理部１０７が実行する撮影時画像処理の手順を示すフローチャートである。
【００５０】
同図において、まず画像処理部１０７は、記録モードがＪＰＥＧ記録モードあるいはＲＡＷ記録モードのいずれに設定されているかをチェックする（ステップＳ１）。このチェックの結果、ＪＰＥＧ記録モードが設定されている場合には、次に画像処理部１０７は、アスペクト比が４：３あるいは１６：９のいずれに設定されているかをチェックする（ステップＳ２）。このチェックの結果、アスペクト比が４：３に設定されている場合には、画像処理部１０７は有効領域を領域Ａに設定する（ステップＳ３）。一方、アスペクト比が１６：９に設定されている場合には、画像処理部１０７は有効領域を領域Ｂに設定する（ステップＳ４）。
【００５１】
そして画像処理部１０７は、有効領域内の画像データに対して現像処理を行い、ＹＵＶデータに変換する（ステップＳ５）。さらに画像処理部１０７は、この現像後の画像データ、つまりＹＵＶデータをリサイズして、表示用画像データ及びサムネイル用画像データをそれぞれ生成する。また、指定された記録サイズに応じてＹＵＶデータをリサイズして、記録用画像データを生成する（ステップＳ６）。その後、画像処理部１０７は、リサイズ済の各画像データを圧縮／伸長部１１０にて圧縮し、メモリ１０６及びメモリカードＩ／Ｆ１４６を介してメモリカード２００に記録する（ステップＳ７）。
【００５２】
一方、前記ステップＳ１でのチェックの結果、記録モードがＲＡＷ記録モードに設定されている場合には、画像処理部１０７は有効領域を領域Ｃに設定する（ステップＳ８）。そして画像処理部１０７は、有効領域である領域Ｃ内の画像データに対して記録サイズ低減のための可逆圧縮を行った後、その画像データをメモリ１０６に格納する（ステップＳ９）。次に画像処理部１０７は、領域Ａ及び領域Ｂ内の各画像データに対して現像処理を行い（ステップＳ１０）、現像後の領域Ａ及び領域Ｂ内の各画像データをリサイズして、表示用画像データ及びサムネイル用画像データを生成する（ステップＳ１１及びＳ１２）。その後、画像処理部１０７は、処理を前記ステップＳ７へ移行させる。但し、このステップＳ７の処理では、前記ステップＳ９で可逆圧縮されてメモリ１０６に格納された画像データについての圧縮・格納処理は行わない。
【００５３】
このようにＲＡＷ記録モードが選択された状態で撮影がなされると、４：３及び１６：９の双方のアスペクト比の記録領域を包含する範囲の画像データがＲＡＷ画像データとして保存される。そして、表示用及びサムネイル用の縮小画像データについては、アスペクト比４：３版の画像データとアスペクト比１６：９版の画像データの双方が作成されて保存される。但し、そのファイル構成は、次に説明するように、撮影時に設定されているアスペクト比に応じて異なっている。
【００５４】
図５は、ＲＡＷ記録モードが選択された状態で撮影がなされときに生成されるファイル構成の一例を示す図である。同図（ａ）は、撮影時にアスペクト比４：３が選択されている場合のファイル構成を示し、同図（ｂ）は、撮影時にアスペクト比１６：９が選択されている場合のファイル構成を示している。
【００５５】
ＲＡＷ記録モードが選択された状態で撮影がなされたときに、アスペクト比４：３が選択されていれば、図５（ａ）に示すようにXXX.CRW及びXXX.THMの２つのファイルが作成される。XXX.CRWファイルには、前記図４を用いて説明した、領域Ｃの可逆圧縮済ＲＡＷ画像データの他、撮影時のアスペクト比設定情報（４：３）、領域Ａ及び領域Ｂの各表示用ＪＰＥＧ画像データ、領域Ｂのサムネイル用ＪＰＥＧ画像データが含まれている。このように、領域Ａ及び領域Ｂの各表示用ＪＰＥＧ画像データは、撮影時に選択設定されているアスペクト比と関連付けられてメモリカード２００に記録されている（この事情は、図５（ｂ）の例でも同様である）。一方、XXX.THMファイルには、領域Ａのサムネイル用ＪＰＥＧ画像データが含まれている。
【００５６】
一方、ＲＡＷ記録モードが選択された状態で撮影がなされたときに、アスペクト比１６：９が選択されていれば、図５（ｂ）に示すようにYYY.CRW及びYYY.THMの２つのファイルが作成される。YYY.CRWファイルには、前記図４を用いて説明した、領域Ｃの可逆圧縮済ＲＡＷ画像データの他、撮影時のアスペクト設定情報（１６：９）、領域Ａ及び領域Ｂの表示用ＪＰＥＧ画像データ、領域Ａのサムネイル用ＪＰＥＧ画像データが含まれている。一方、YYY.THMファイルには、領域Ｂのサムネイル用ＪＰＥＧ画像データが含まれている。
【００５７】
両ファイル構成の共通点は、撮影時に選択しているアスペクト比に対応するサムネイル用ＪＰＥＧ画像データをTHMファイルに含ませていることである。これは、再生互換性を考慮したものであり、ＲＡＷ記録モードで記録された画像データの場合、そのサムネイル用画像データはTHMファイルから読み出すというルールを決めておけば、撮影時に選択されているアスペクト比で表示することができる。
【００５８】
（再生時；外部表示装置への表示）
図６は、前記システム制御部１３０が実行する再生モード時画像表示処理の手順を示すフローチャートである。
【００５９】
同図において、まずシステム制御部１３０は、メモリカード２００から最新画像情報を取得する（ステップＳ２１）。次にシステム制御部１３０は、取得した最新画像情報に基づいて、メモリカード２００から最新画像データを読み込む（ステップＳ２２）。そしてシステム制御部１３０は、読み込んだ最新画像データについてファイルの解析を行い、その画像データの撮影情報や属性情報等を取得する（ステップＳ２３）。
【００６０】
次にシステム制御部１３０は、その画像データがＪＰＥＧ画像データであるか、ＲＡＷ画像データであるかを判定する（ステップＳ２４）。この判定の結果、その画像データがＪＰＥＧ画像データであるときには、システム制御部１３０は処理をステップＳ２５へ進める一方、その画像データがＲＡＷ画像データであるときには、システム制御部１３０は処理をステップＳ２６へ進める。
【００６１】
ステップＳ２５では、システム制御部１３０は、ＪＰＥＧ画像データをデコードするとともに表示用サイズにリサイズした後、メモリ１０６に格納する。
【００６２】
ステップＳ２６では、システム制御部１３０は、ＲＡＷファイル内にある表示用ＪＰＥＧ画像データをデコードするとともに表示用サイズにリサイズするデコード・リサイズ処理を行う。このデコード・リサイズ処理の詳細については、図７を用いて後述する。
【００６３】
続くステップＳ２７では、システム制御部１３０は、メモリ１０６内のデコード・リサイズ済画像データを所定の表示レートで読み出し、Ｄ／Ａ変換器１１１を介して画像表示部１１２に転送することで画像の表示を行う。そしてシステム制御部１３０は、モード切替スイッチ１３３、シャッタボタン１３４及び操作部１４０内のスイッチを含む各種スイッチ（ＳＷ）が操作されるのを待つ（ステップＳ２８）。操作者が機能キーを用いて画像送りを指示すると、システム制御部１３０は、送り方向に応じてファイルの画像番号を取得し、次の画像を読み込んだ（ステップＳ２９→Ｓ３０）後、前記ステップＳ２３へ戻る。一方、操作者が画像送り以外のＳＷを操作した場合には、システム制御部１３０は処理をステップＳ３１に進め、ＳＷに応じた処理を行う。なお本実施の形態では、このＳＷに応じた処理の詳細については説明しない。
【００６４】
図７は、前記ステップＳ２６のデコード・リサイズ処理の詳細な手順を示すフローチャートである。
【００６５】
同図において、まずシステム制御部１３０は、デジタルカメラ１００に外部表示装置が接続されているかどうかを、前記ビデオジャック検出スイッチ１３２の状態に基づいてチェックする（ステップＳ４１）。このチェックの結果、外部表示装置が接続されていなければ、システム制御部１３０は、ＲＡＷファイル（つまり、前記図５のCRWファイル）から撮影時のアスペクト比設定情報を取得する（ステップＳ４２）。次にシステム制御部１３０は、取得したアスペクト比設定情報によって示されるアスペクト比（撮影時アスペクト比）を変数ＡＳＰＥＣＴに代入する（ステップＳ４３）。そしてシステム制御部１３０は、このアスペクト比（変数ＡＳＰＥＣＴ内の値）に応じてデコード対象の画像データを決定する（ステップＳ４４）。アスペクト比が４：３のときには、システム制御部１３０は、ＲＡＷファイル内の領域Ａの表示用ＪＰＥＧ画像データをデコードするとともに表示用サイズにリサイズした（ステップＳ４５）後、本デコード・リサイズ処理を終了する。一方、アスペクト比が１６：９のときには、システム制御部１３０は、ＲＡＷファイル内の領域Ｂの表示用ＪＰＥＧ画像データをデコードするとともに表示用サイズにリサイズした（ステップＳ４６）後、本デコード・リサイズ処理を終了する。
【００６６】
一方、ステップＳ４１のチェックの結果、外部表示装置が接続されていれば、システム制御部１３０は、接続されている端子を検出する（ステップＳ４７）。この検出の結果、接続されている端子がコンポジット・ビデオ端子であった場合には、システム制御部１３０は、前記ステップＳ４２以降の処理を行う。一方、接続されている端子がコンポジット・ビデオ端子でない場合には、システム制御部１３０は、外部表示装置の解像度情報を取得可能であるかどうかをチェックする（ステップＳ４８）。このチェックの結果、外部表示装置の解像度情報を取得できないときには、システム制御部１３０は、前記ステップＳ４２以降の処理を行う。一方、外部表示装置の解像度情報を取得できるときには、システム制御部１３０は、その解像度情報を取得し、取得した解像度情報から表示アスペクト比を取得する（ステップＳ４９）。システム制御部１３０（外部表示制御手段）は、取得したアスペクト比を前記変数ＡＳＰＥＣＴに代入した（ステップＳ５０）後、前記ステップＳ４４以降の処理を行う。
【００６７】
本デコード・リサイズ処理によれば、外部表示装置が接続されていない状態で、画像表示部１１２に再生画像を表示する場合には、撮影時アスペクト比の画像データを表示する。一方、外部表示装置が接続され、かつその外部表示装置の解像度情報を取得できる状態で、その外部表示装置に再生画像を表示する場合には、取得した解像度情報に応じた表示アスペクト比のＪＰＥＧ画像データをＲＡＷファイルから読み出してデコードする。このように、表示対象の画像データとしてＲＡＷ画像データが指定された場合には、外部表示装置の解像度に応じたアスペクト比で表示することができるため、画面に余分な黒枠などが発生せず、画面を有効利用できる。
【００６８】
黒枠については、表示装置側の画面モード切替等によっても消すことは可能であるが、このようにして黒枠を消した場合には、画像の端がカットされたり、画像が歪んだりしていた。しかし本発明によれば、そのような弊害が生じることはない。
【００６９】
また、ＲＡＷファイル内には、２つのアスペクト比に対応する画像データが、現像・圧縮済画像データとして保存されているため、表示アスペクト比に応じて表示対象の画像データを切り替える場合でも、ＲＡＷ画像データから改めて現像する必要がなく、表示対象の画像データを迅速に表示することができる。
【００７０】
なお本実施の形態では、外部表示装置に再生画像を表示する場合、当該外部表示装置から取得した解像度情報に応じたアスペクト比の表示用ＪＰＥＧ画像データを、ＲＡＷファイルに含まれる複数のＪＰＥＧ画像データから選択するようにした。しかし、これに代えて、あるいはこれとともに、前記アスペクト比切替ボタン１３６を撮影時だけでなく再生中にも使用できるようにして、操作者がアスペクト比切替ボタン１３６を操作する度に、その操作に応じて指示されたアスペクト比の画像データを選択して外部表示装置に表示するようにしても良い。これにより、複数のアスペクト比の画像をユーザ操作に応じて瞬時に切り替えることが可能となり、画角の違いを簡単に確認することができる。
【００７１】
（第２の実施の形態）
次に、本発明の第２の実施の形態に係る撮像装置について説明する。
【００７２】
本実施の形態の撮像装置は、上記第１の実施の形態の撮像装置に対して、次の点が異なっている。すなわち、上記第１の実施の形態の撮像装置は、外部機器として外部表示装置を接続して撮影画像（再生画像）を表示する際に、その外部表示装置の表示アスペクト比のＪＰＥＧ画像データをＲＡＷファイル内から読み出し、このＪＰＥＧ画像データをデコード・リサイズして外部表示装置に表示する。これに対して、本実施の形態の撮像装置は、外部機器としてプリンタ（外部印刷装置）を接続して撮影画像を印刷する際に、そのプリンタで印刷しようとしている用紙サイズを検出し、検出した用紙サイズに対応するアスペクト比のＪＰＥＧ画像データをＲＡＷファイル内から読み出し、このＪＰＥＧ画像データをデコード・リサイズしてプリンタに印刷する。このように相違する本実施の形態の撮像装置は、上記第１の実施の形態の撮像装置が実行する制御処理の一部を変更するだけで実現できる。したがって、本実施の形態の撮像装置のハードウェアは、上記第１の実施の形態の撮像装置と同様のもの、すなわち前記図１に記載のものをそのまま用いることにする。
【００７３】
なお、本実施の形態の撮像装置、つまりデジタルカメラ１００には、外部表示装置３００は接続されていないものとする。また上記第１の実施の形態では、アスペクト比として４：３又は１６：９のいずれかを選択できるようにしたが、本実施の形態では撮影画像を印刷用紙上に印刷するので、アスペクト比としては１６：９よりも３：２あるいは７：５の方を使用することが多い。そのため本実施の形態では、印刷用紙用アスペクト比として３：２を採用し、アスペクト比として４：３又は３：２のいずれかを選択できるようにしている。
【００７４】
図８は、デジタルカメラ１００、特にシステム制御部１３０が実行するＳＷに応じた処理の手順を示すフローチャートである。この図８のＳＷに応じた処理は、前記図６のステップＳ３１の「ＳＷに応じた処理」を詳細に記載したものである。つまり、本実施の形態の制御処理は、前記第１の実施の形態の撮像装置が実行する制御処理の一部（ステップＳ３１の「ＳＷに応じた処理」）を用いて実現されている。
【００７５】
図８において、まずシステム制御部１３０は、プリンタとの接続が検出されたかどうかをチェックする（ステップＳ６１）。このチェックの結果、プリンタとの接続が検出されなかった場合、つまり、プリンタ以外のＳＷが検出された場合には、システム制御部１３０は、処理をステップＳ６２へ進める。ステップＳ６２では、システム制御部１３０は、検出されたＳＷに応じた処理（但し、その詳細については省略）を行う。そしてシステム制御部１３０は、処理をステップＳ６１へ戻す。
【００７６】
一方、前記ステップＳ６１でのチェックの結果、プリンタとの接続が検出された場合には、システム制御部１３０は、処理をステップＳ６３へ進める。ステップＳ６３では、処理対象の画像データ、つまり前記図６のステップＳ２２又はＳ３０で読み込まれた画像データが、ＪＰＥＧ画像データであるか、ＲＡＷ画像データであるかを判定する。この判定の結果、その画像データがＪＰＥＧ画像データであるときには、システム制御部１３０は処理をステップＳ６９へ進める一方、その画像データがＲＡＷ画像データであるときには、システム制御部１３０は処理をステップＳ６４へ進める。
【００７７】
ステップＳ６４では、システム制御部１３０は、プリンタ２００から通信Ｉ／Ｆ１４７を介して用紙情報を取得する。そしてシステム制御部１３０は、取得した用紙情報に基づいて用紙アスペクト比を取得し（ステップＳ６５）、取得した用紙アスペクト比が４：３あるいは３：２のいずれであるかをチェックする（ステップＳ６６）。このチェックの結果、用紙アスペクト比が４：３である場合には、システム制御部１３０（外部印刷制御手段）は、ＲＡＷファイル内の領域Ａの表示用ＪＰＥＧ画像データをデコードするとともに表示用サイズにリサイズする（ステップＳ６７）。一方、用紙アスペクト比が３：２である場合には、システム制御部１３０（外部印刷制御手段）は、ＲＡＷファイル内の領域Ｂ′の表示用ＪＰＥＧ画像データをデコードするとともに表示用サイズにリサイズする（ステップＳ６８）。なお、用紙アスペクト比が４：３及び３：２のどちらでもない場合には、どちらか近い方のアスペクト比を採用して分岐するものとする。
【００７８】
図９は、本実施の形態のデジタルカメラ１００における、イメージサークル（破線）、アスペクト比４：３選択時の記録領域（実線；領域Ａ）及びアスペクト比３：２選択時の記録領域（２点鎖線；領域Ｂ′）を示した図である。同図には、領域Ｃ′として、双方のアスペクト比の記録領域を包含する矩形領域も示されている。
【００７９】
次にシステム制御部１３０は、リサイズした表示用ＹＵＶ画像データを画像表示部１１２に転送することで、再表示を行う（ステップＳ６９）。さらにシステム制御部１３０は、印刷開始や設定変更の方法をガイド表示する（ステップＳ７０）。
【００８０】
そして、印刷開始が指示されると、システム制御部１３０は、接続されているプリンタへ用紙アスペクト比に応じた画像データを転送した（ステップＳ７１→Ｓ７２）後、本ＳＷに応じた処理を終了する。
【００８１】
なお本実施の形態では、選択可能なアスペクト比として、４：３と３：２の２種類を採用した。しかし、用紙アスペクト比としては、この２種類以外にさまざまなものが考えられるため、撮影時に３種類以上のアスペクト比に対応した画像データを保存しておくようにしても、もちろん構わない。
【００８２】
このように本実施の形態では、ＲＡＷ画像データを記録する際にＲＡＷファイル内にＪＰＥＧ画像データをプリンタの用紙アスペクト比に応じて複数用意しておくようにしたので、そのデータを用いて印刷する場合に、画像表示部１１２上で確認した画像と同じ画角で、周囲に余白の生じないプリント画像を得ることができる。
【００８３】
（第３の実施の形態）
次に、本発明の第３の実施の形態に係る撮像装置について説明する。
【００８４】
第１及び第２の実施の形態では、撮影画像の全体を表示したり印刷したりするようにしたが、撮影画像の一部をトリミングして表示したり印刷したりしたい場合もある。
【００８５】
例えば第２の実施の形態では、印刷用紙の用紙アスペクト比に合わせた画像データを選択するのは、あくまでも撮影画像の全体を印刷する際に印刷用紙に余白を生じさせたくない場合に有効である。したがって、画像の一部をトリミング指定し、この一部を印刷する場合には、トリミング指定枠のアスペクト比を用紙アスペクト比に一致させれば、用紙アスペクト比に合わせた画像データを選択する必要はない。
【００８６】
しかし、トリミング指定枠が元画像の上／下／左／右の端にある場合に、余白を入れないとすると、必要な画像が端にあるままでトリミングすることになる。この場合、トリミングされた画像が利用者の意図に合わないことがある。
【００８７】
また、記録されたＲＡＷ画像データには含まれているにもかかわらず、ＲＡＷファイル内の印刷用アスペクト比に応じたＪＰＥＧ画像データではカットされてしまうため印刷できない画像がある。
【００８８】
図１０は、本実施の形態の撮像装置が実行する制御処理を説明するための図である。
【００８９】
図１０（ａ）は、ＲＡＷ画像データとして記録される領域を示している。斜線部は、イメージサークルの範囲外となるため、無効データとなっている部分を示している。
【００９０】
図１０（ｂ）及び図１０（ｃ）はそれぞれ、アスペクト比４：３及び３：２で記録されたＲＡＷファイル内の各ＪＰＥＧ画像データのイメージを示している。同図（ｂ）及び（ｃ）の斜線部は便宜上描いたもので、データとしては記録されていない。
【００９１】
デジタルカメラ１００とプリンタ４００（印刷用紙の用紙アスペクト比は３：２とする）が接続されたときに画面表示部１１２に表示される印刷前画面は、図１０（ｃ）の画面と同じになる。すなわち、画面上の文字“Ｘ”及び“Ｙ”の一部がカットされたものとなっている。
【００９２】
図１０（ｄ）は、この画像データ（表示対象又は印刷対象の画像データ）に対してトリミング指定を行った一例を示している。同図（ｄ）において、トリミング枠１００１（一部領域内）は、印刷に合わせ３：２のアスペクト比で表示される。同図（ｄ）に示すように、カットされていたＸが表示されている。これは、ＲＡＷファイル内のアスペクト比４：３のＪＰＥＧ画像データを使って画像を補完することで可能となる。
【００９３】
このように、トリミング指定時には、複数のアスペクト比からなる画像を併用することで、トリミング指定範囲を広げることができる。
【００９４】
（第４の実施の形態）
次に、本発明の第４の実施の形態に係る撮像装置について説明する。
【００９５】
前記第１の実施の形態の撮像装置では、ＲＡＷ画像データを記録する際に、複数のアスペクト比に対応した画像の現像・リサイズ処理を行っているので、その記録処理に時間がかかっていた。本実施の形態の撮像装置では、次の撮影までのタイムラグを短くするようにしている。このように相違する本実施の形態の撮像装置は、上記第１の実施の形態の撮像装置の制御処理の一部を変更するだけで実現できる。したがって、本実施の形態の撮像装置のハードウェアは、上記第１の実施の形態の撮像装置と同様のもの、すなわち前記図１に記載のものをそのまま用いることにする。
【００９６】
図１１は、本実施の形態のデジタルカメラ１００、特に画像処理部１０７が実行する撮影時画像処理の手順を示すフローチャートである。図１１中、図２と同様の処理を行うステップには同一のステップ番号を付し、その説明は省略する。
【００９７】
図１１において、画像処理部１０７は、記録モードとしてＲＡＷ記録モードが設定されている場合には、前記図２のステップＳ８及びＳ９の処理と同様の処理を行った後、処理をステップＳ８１に進める。
【００９８】
ステップＳ８１では、画像処理部１０７は、前記図２のステップＳ２の処理と同様にして、アスペクト比が４：３あるいは１６：９のいずれに設定されているかをチェックする。このチェックの結果、アスペクト比が４：３に設定されている場合には、画像処理部１０７は、領域Ａ内の画像データに対して現像処理を行い、ＹＵＶデータに変換する（ステップＳ８２）。さらに画像処理部１０７は、この現像後の画像データ、つまりＹＵＶデータをリサイズして、表示用画像データ及びサムネイル用画像データをそれぞれ生成し、リサイズ済の各画像データを圧縮／伸長部１１０にて圧縮する（ステップＳ８３）。
【００９９】
次に画像処理部１０７は、第２シャッタスイッチ１３５の状態を検出して、撮影指示がなされているかどうかをチェックする（ステップＳ８４）。このチェックの結果、次の撮影指示がなされていれば、画像処理部１０７は、選択されなかったアスペクト比１６：９の画像データ（領域Ｂ）の現像をせずに撮影処理を優先させる。この領域Ｂ内の画像データの現像・圧縮・記録については、画像処理部１０７は、撮影処理終了後に、図示しない処理内でまとめて行うようにしている。
【０１００】
一方、前記ステップＳ８４におけるチェックの結果、次の撮影指示がなされていなければ、画像処理部１０７は、処理をステップＳ８５に進める。ステップＳ８５では、画像処理部１０７は、領域Ｂ内の画像データに対して現像処理を行い、ＹＵＶデータに変換する。さらに画像処理部１０７は、この現像後の画像データ、つまりＹＵＶデータをリサイズして、表示用画像データ及びサムネイル用画像データをそれぞれ生成した（ステップＳ８６）後、処理をステップＳ７に進める。
【０１０１】
一方、ステップＳ８１におけるチェックの結果、アスペクト比が１６：９に設定されている場合には、画像処理部１０７は、領域Ｂ内の画像データに対して現像処理を行い、ＹＵＶデータに変換する（ステップＳ８７）。さらに画像処理部１０７は、この現像後の画像データ、つまりＹＵＶデータをリサイズして、表示用画像データ及びサムネイル用画像データをそれぞれ生成し、リサイズ済の各画像データを圧縮／伸長部１１０にて圧縮する（ステップＳ８８）。
【０１０２】
次に画像処理部１０７は、第２シャッタスイッチ１３５の状態を検出して、撮影指示がなされているかどうかをチェックする（ステップＳ８９）。このチェックの結果、次の撮影指示がなされていれば、画像処理部１０７は、選択されなかったアスペクト比４：３の画像データ（領域Ａ）の現像をせずに撮影処理を優先させる。この領域Ａ内の画像データの現像・圧縮・記録については、画像処理部１０７は、撮影処理終了後に、図示しない処理内でまとめて行うようにしている。
【０１０３】
一方、前記ステップＳ８９におけるチェックの結果、次の撮影指示がなされていなければ、画像処理部１０７は、処理をステップＳ９０に進める。ステップＳ９０では、画像処理部１０７は、領域Ａ内の画像データに対して現像処理を行い、ＹＵＶデータに変換する。さらに画像処理部１０７は、この現像後の画像データ、つまりＹＵＶデータをリサイズして、表示用画像データ及びサムネイル用画像データをそれぞれ生成した（ステップＳ９１）後、処理をステップＳ７に進める。
【０１０４】
なお、前記ステップＳ８４の撮影指示のチェックは、図１１ではステップＳ８５の処理の直前で行うようにしているが、これは一例であって、ステップＳ８５の処理が開始してからステップＳ８６の処理が終了するまでの途中で行うようにしてもよい。この事情は、前記ステップＳ８９の撮影指示のチェックについても同様である。
【０１０５】
このように本実施の形態では、撮影時に選択されていないアスペクト比の現像・リサイズ処理中に撮影指示があると、現像・リサイズ処理を中断し、撮影動作を優先させるように構成したので、ＲＡＷ画像データの記録時であっても、最小限のタイムラグで次の撮影を開始することができる。
【０１０６】
（第５の実施の形態）
次に、本発明の第５の実施の形態に係る撮像装置について説明する。
【０１０７】
第４の実施の形態では、複数のアスペクト比に対応した画像データを現像・リサイズ処理することで、その処理に時間がかかってしまうという問題に対処するために次の撮影までのタイムラグを短くする方法を提示した。これに対して本実施の形態では、現像処理そのものの時間短縮を行なうために複数のアスペクト比に共通する領域に対する現像処理を１回だけ行うようにしている。
【０１０８】
図１２に、本実施の形態のデジタルカメラ１００における、イメージサークル（破線）、アスペクト比４：３選択時の記録領域（実線；領域Ａ）及びアスペクト比１６：９選択時の記録領域（２点鎖線；領域Ｂ）を示した図である。同図には、領域Ｃとして、双方のアスペクト比の記録領域を包含する矩形領域も示されている。
【０１０９】
図１２は、前記図２とほぼ同様であるが、領域Ａをａ１，ｃｏｍｍｏｎ，ａ２の各領域に分割した形で表示している。領域Ｂについてもｂ１，ｃｏｍｍｏｎ，ｂ２の各領域に分割することができる。ここで領域Ａ及び領域Ｂに共通するｃｏｍｍｏｎ領域についての現像処理を１回のみ行うことで、現像処理に要する時間をほぼ半分に減らすことができる。但し、実際に分割して現像処理を行うためには、分割された領域間にある程度オーバーラップ分が必要となる（したがって、領域Ａ及び領域Ｂに略共通する領域について現像処理を１回のみ行うことになる）が、その場合でも、処理時間の低減が期待できる。 
【０１１０】
以上、本発明の好ましい実施形態について説明したが、本発明はこれらの実施形態に限定されず、その要旨の範囲内で種々の変形及び変更が可能である。
【０１１１】
なお、上述した各実施の形態は、ネットワーク又は各種記憶媒体を介して取得したソフトウェア（プログラム）をパーソナルコンピュータ（ＣＰＵやプロセッサ）にて実行することでも実現できる。
【符号の説明】
【０１１２】
１００  デジタルカメラ
１０３  撮像部
１０４  Ａ／Ｄ変換器
１０６  メモリ
１０７  画像処理部
１０８  メモリ制御部
１１０  圧縮／伸長部
１３６  アスペクト比切替ボタン
２００  メモリカード
３００  外部表示装置
４００  プリンタ
【図１】
0005441678.tif 000002
【図２】
0005441678.tif 000003
【図３】
0005441678.tif 000004
【図４】
0005441678.tif 000005
【図５】
0005441678.tif 000006
【図６】
0005441678.tif 000007
【図７】
0005441678.tif 000008
【図８】
0005441678.tif 000009
【図９】
0005441678.tif 000010
【図１０】
0005441678.tif 000011
【図１１】
0005441678.tif 000012
【図１２】
0005441678.tif 000013